(57)【要約】      （修正有）【課題】レンズ支持体を安定した姿勢で支持することができるレンズ駆動装置、カメラ装置、電子機器及びレンズ駆動装置の製造方法を提供する。【解決手段】レンズ支持体２２とコイル２０とマグネット１８と、コイル２０への通電が無い初期状態において、レンズ支持体２２をレンズの光軸方向の両方向に移動自在であるようにレンズ支持体２２の光軸方向両側から支持する第一のばね部材１４及び第二のばね部材２４と、レンズ支持体２２を第一のばね部材１４及び第二のばね部材２４の一方に抗してレンズ支持体２２を第一のばね部材１４及び第二のばね部材２４の一方側に移動させたときにレンズ支持体２２が当接する当接部６２とを備え、レンズ支持体２２を当接部６２に当接した状態において、第一のばね部材１４及び第二のばね部材２４の他方はレンズ支持体２２に対して光軸方向の他方側から一方側へ向けて予圧を加えるように構成されている。【選択図】図２
2015210469.tif 000002
【特許請求の範囲】
【請求項１】
レンズを支持するレンズ支持体と、
前記レンズ支持体に設けられたコイルと、
前記コイルの周囲に設けられたマグネットと、
前記コイルへの通電が無い初期状態において、前記レンズ支持体を前記レンズの光軸方向の両方向に移動自在であるように前記レンズ支持体の光軸方向両側から支持する第一のばね部材及び第二のばね部材と、
前記レンズ支持体を前記第一のばね部材及び前記第二のばね部材の一方に抗して前記レンズ支持体を前記第一のばね部材及び前記第二のばね部材の一方側に移動させたときに前記レンズ支持体が当接する当接部と、を備え、
前記レンズ支持体を前記当接部に当接した状態において、前記第一のばね部材及び前記第二のばね部材の他方は前記レンズ支持体に対して前記光軸方向の前記他方側から前記一方側へ向けて予圧を加えるように構成されているレンズ駆動装置。
【請求項２】
前記第一のばね部材及び前記第二のばね部材のそれぞれは、前記レンズ支持体の周囲に固定される本体部と、前記レンズ支持体に固定される支持部と、前記本体部と前記支持部とを接続する接続部とを有し、
前記コイルへの通電が無い初期状態において、前記他方のばね部材の前記本体部から前記支持部までの距離と、前記当接部から前記レンズ支持体までの距離と、の差が、自由形状時における前記他方のばね部材の前記本体部から前記支持部までの距離よりも大きい請求項１記載のレンズ駆動装置。
【請求項３】
前記他方のばね部材の前記本体部と前記支持部とが自由形状時に同一の平面上にあり、前記コイルへの通電が無い初期状態において、前記レンズ支持体と前記当接部との距離が、前記本体部と前記支持部との距離よりも小さい請求項２記載のレンズ駆動装置。
【請求項４】
前記第一のばね部材及び前記第二のばね部材のそれぞれは、前記レンズ支持体の周囲に固定される本体部と、前記レンズ支持体に固定される支持部と、前記本体部と前記支持部とを接続する接続部とを有し、
前記レンズ支持体を前記当接部に当接した状態における前記他方のばね部材の前記本体部から前記支持部までの距離は、自由形状時における前記他方のばね部材の前記本体部から前記支持部までの距離よりも大きい請求項１記載のレンズ駆動装置。
【請求項５】
前記他方のばね部材の前記本体部と前記支持部とが自由形状時に同一の平面上にあり、前記レンズ支持体を前記当接部に当接した状態において、前記支持部が前記本体部よりも前記光軸方向の前記他方側に位置している請求項４記載のレンズ駆動装置。
【請求項６】
請求項１乃至５いずれか記載のレンズ駆動装置と、前記レンズ支持体に設けられたレンズと、前記レンズの光軸上に設けられた画像センサとを有するカメラ装置。
【請求項７】
請求項６記載のカメラ装置を搭載した電子機器。
【請求項８】
レンズを支持するレンズ支持体を前記レンズの光軸方向の一方側から支持する第一のばね部材を固定する工程と、
前記レンズ支持体を前記第一のばね部材に抗して当接部に当接する工程と、
前記レンズ支持体を前記第一のばね部材に抗して前記当接部に当接しつつ、前記レンズ支持体を前記レンズの光軸方向の他方側から支持する第二のばね部材を前記レンズ支持体に前記第二のばね部材の他方側から予圧を加えながら固定する工程と、
を有するレンズ駆動装置の製造方法。
【請求項９】
前記レンズ支持体に設けられたコイルと、前記コイルの周囲に配置されたマグネットとを有し、前記レンズ支持体は、前記コイルに通電することにより前記当接部に当接する請求項８記載のレンズ駆動装置の製造方法。
【請求項１０】
前記レンズ支持体の前記当接部への当接は、前記レンズ支持体を押圧することにより行う請求項８記載のレンズ駆動装置の製造方法。
【発明の詳細な説明】
【技術分野】
【０００１】
本発明は、レンズ駆動装置、カメラ装置、電子機器及びレンズ駆動装置の製造方法に関する。
【背景技術】
【０００２】
携帯電話やスマートフォン等の電子機器には、小型カメラが搭載されている。この種の小型カメラには、自動焦点タイプのものがある。自動焦点タイプの小型カメラには、レンズを駆動するレンズ駆動装置が設けられている。
【０００３】
特許文献１は、撮像素子の上方に配置されるレンズ体を保持可能な筒状のレンズ保持部材と、該レンズ保持部材を光軸方向へ移動可能に支持する付勢部材と、該付勢部材の一部を固定する固定部材と、磁石、コイル及びヨークを有して構成され前記レンズ保持部材を光軸方向に沿って移動させる移動機構と、を備えたレンズ駆動装置において、前記付勢部材は、前記レンズ保持部材の上部に固定される上側板ばねと、該上側板ばねに対向配置されるとともに前記レンズ保持部材の下部に固定される下側板ばねと、からなり、前記固定部材には、前記レンズ保持部材の上部に設けられた第１当接部と当接可能な第１受け部と、前記レンズ保持部材の下部に設けられた第２当接部と当接可能な第２受け部と、が設けられており、前記光軸方向が鉛直方向に対して直交する水平方向となるように前記レンズ保持部材を向けて前記コイルに通電しない状態を初期状態とし、該初期状態において、前記第１当接部と前記第１受け部との間の距離が、前記第２当接部と前記第２受け部との間の距離よりも大きいことを特徴とするレンズ駆動装置を開示する。
【０００４】
特許文献２は、レンズを含む筒状のレンズ体と、該レンズ体の周囲に位置するように固定された駆動コイルと、該駆動コイルと対向する永久磁石と、内壁に前記永久磁石を備えた外側ヨークと、前記レンズ体の光軸方向両側に設けられ、前記レンズ体を径方向に位置決めした状態で光軸方向に変位可能に支持する上側弾性部材および下側弾性部材とを備え、前記上側弾性部材及び前記下側弾性部材の各々は、前記レンズ体に取り付けられた内周側端部と前記外側ヨークに取り付けられた外周側端部とを有し、前記駆動コイルに通電することで、前記永久磁石の磁界と前記駆動コイルに流れる電流による磁界との相互作用によって、前記レンズ体を光軸方向に位置調整可能なレンズ駆動装置において、前記駆動コイルへの無通電時に、前記レンズ体は、無限遠位置およびマクロ位置を除いた前記光軸方向のレンズ焦点調整領域に置かれていることを特徴とするレンズ駆動装置を開示する。
【先行技術文献】
【特許文献】
【０００５】
【特許文献１】実用新案登録第３１８６５１９号公報
【特許文献２】特開２００９−２８２０９０号公報
【発明の概要】
【発明が解決しようとする課題】
【０００６】
特許文献１及び特許文献２においては、レンズを支持するレンズ支持体は、コイルへの通電が無い初期状態において、レンズが光軸方向の両方向への移動可能なように両側でばね部材により支持されている。
しかしながら、上記従来例においては、レンズ駆動装置の組立て時には、レンズ支持体が宙吊り状態でばね部材をレンズ支持体に固定しなくてはならず、レンズ支持体の姿勢が不安定であり、光軸に対して斜めに取り付けられたりする不具合が発生するおそれがあった。
【０００７】
本発明は、レンズ支持体を安定した姿勢で支持することができるレンズ駆動装置、カメラ装置、電子機器及びレンズ駆動装置の製造方法を提供することを目的とする。
【課題を解決するための手段】
【０００８】
本発明の一つの態様はレンズ駆動装置にあり、このレンズ駆動装置は、レンズを支持するレンズ支持体と、前記レンズ支持体に設けられたコイルと、前記コイルの周囲に設けられたマグネットと、前記コイルへの通電が無い初期状態において、前記レンズ支持体を前記レンズの光軸方向の両方向に移動自在であるように前記レンズ支持体の光軸方向両側から支持する第一のばね部材及び第二のばね部材と、前記レンズ支持体を前記第一のばね部材及び前記第二のばね部材の一方に抗して前記レンズ支持体を前記第一のばね部材及び前記第二のばね部材の一方側に移動させたときに前記レンズ支持体が当接する当接部と、を備え、前記レンズ支持体を前記当接部に当接した状態において、前記第一のばね部材及び前記第二のばね部材の他方は前記レンズ支持体に対して前記光軸方向の前記他方側から前記一方側へ向けて予圧を加えるように構成されている。
【０００９】
好適には、前記第一のばね部材及び前記第二のばね部材のそれぞれは、前記レンズ支持体の周囲に固定される本体部と、前記レンズ支持体に固定される支持部と、前記本体部と前記支持部とを接続する接続部とを有し、前記コイルへの通電が無い初期状態において、前記他方のばね部材の前記本体部から前記支持部までの距離と、前記当接部から前記レンズ支持体までの距離と、の差が、自由形状時における前記他方のばね部材の前記本体部から前記支持部までの距離よりも大きい。
【００１０】
好適には、前記他方のばね部材の前記本体部と前記支持部とが自由形状時に同一の平面上にあり、前記コイルへの通電が無い初期状態において、前記レンズ支持体と前記当接部との距離が、前記本体部と前記支持部との距離よりも小さい。
【００１１】
また、好適には、前記第一のばね部材及び前記第二のばね部材のそれぞれは、前記レンズ支持体の周囲に固定される本体部と、前記レンズ支持体に固定される支持部と、前記本体部と前記支持部とを接続する接続部とを有し、前記レンズ支持体を前記当接部に当接した状態における前記他方のばね部材の前記本体部から前記支持部までの距離は、自由形状時における前記他方のばね部材の前記本体部から前記支持部までの距離よりも大きい。
【００１２】
また、好適には、前記他方のばね部材の前記本体部と前記支持部とが自由形状時に同一の平面上にあり、前記レンズ支持体を前記当接部に当接した状態において、前記支持部が前記本体部よりも前記光軸方向の前記他方側に位置している。
【００１３】
本発明の他の態様は、前記レンズ駆動装置と、前記レンズ支持体に設けられたレンズと、前記レンズの光軸上に設けられた画像センサとを有するカメラ装置である。
【００１４】
本発明のさらに他の態様は、前記カメラ装置を搭載した電子機器である。
【００１５】
本発明のさらに他の態様は、レンズを支持するレンズ支持体を前記レンズの光軸方向の一方側から支持する第一のばね部材を固定する工程と、前記レンズ支持体を前記第一のばね部材に抗して当接部に当接する工程と、前記レンズ支持体を前記第一のばね部材に抗して前記当接部に当接しつつ、前記レンズ支持体を前記レンズの光軸方向の他方側から支持する第二のばね部材を前記レンズ支持体に前記第二のばね部材の他方側から予圧を加えながら固定する工程と、を有するレンズ駆動装置の製造方法にある。
【００１６】
好適には、前記レンズ支持体に設けられたコイルと、前記コイルの周囲に配置されたマグネットとを有し、前記レンズ支持体は、前記コイルに通電することにより前記当接部に当接する。
【００１７】
または、前記レンズ支持体の前記当接部への当接は、前記レンズ支持体を押圧することにより行うようにしてもよい。
【発明の効果】
【００１８】
本発明によれば、コイルへの通電が無い初期状態でレンズ支持体をレンズの光軸方向の両方向に移動自在であるようにレンズ支持体の光軸方向両側からばね部材により支持したレンズ駆動装置において、ばね部材を取り付ける場合にレンズ支持体が当接する当接部を設け、レンズ支持体が当接部へ当接した状態で取り付けられるばね部材がレンズ支持体に対して予圧を加えられるように構成したので、レンズ支持体に安定した姿勢でばね部材を取り付けることができ、結果としてレンズ支持体を安定して支持することができる。
【図面の簡単な説明】
【００１９】
【図１】本発明の一実施形態に係るレンズ駆動装置を示す分解斜視図である。
【図２】本発明の一実施形態に係るレンズ駆動装置を示す断面図である。
【図３】本発明の一実施形態において、上方ばね部材を取り付ける前の状態を示す断面図である。
【図４】本発明の一実施形態において、上方ばね部材を取り付けた後の状態を示す断面図である。
【発明を実施するための形態】
【００２０】
本発明の一実施形態を図面に基づいて説明する。
図１及び図２において、レンズ駆動装置１０は、例えば携帯電話やスマートフォン等の電子機器に用いられる自動焦点式の小型カメラに使用される。レンズ駆動装置１０は、フレーム１２、上方ばね部材１４、ヨーク１６、マグネット１８、コイル２０、レンズ支持体２２、下方ばね部材２４及びばね保持体２６を有する。
なお、この明細書においては、便宜上、レンズ駆動装置１０の光軸方向の一方向を下方、他方向を上方と称する。
【００２１】
フレーム１２は、上方から見た外形が方形状に形成されていると共に、円形の第一の孔２８が設けられ、この第一の孔２８を介して光が通過する。
【００２２】
上方ばね部材（第一のばね部材）１４は、外周に形成された上方ばね本体部３０と、円形に形成された上方支持部３２と、上方ばね本体部３０と上方支持部３２とを接続する上方接続部３４とを有する。上方接続部３４は、特に上下方向に弾性変形自在であり、所定間隔を隔てて４つ設けられ、上方ばね本体部３０に上方支持部３２を移動可能に支持している。この実施形態においては、上方ばね部材１４は、自由形状時には、上方ばね本体部３０、上方支持部３２及び上方接続部３４が同一平面上になるように形成されている。
【００２３】
ヨーク１６は、上方から見た外形が方形状に形成されている。このヨーク１６の上部には、上壁部３６が設けられている。この上壁部３６の内側には円形の第二の孔３８が形成され、この第二の孔３８を介して光が通過する。また、ヨーク１６の四辺それぞれには下方に延びる側壁部４０が形成されている。
前述した上方ばね部材１４は、上方ばね本体部３０がフレーム１２の下面から上方へ向けて凹ませたばね取付け部に固定され、フレーム１２がヨーク１６の上壁部３６に固定されることによってヨーク１６に固定されている。上方ばね部材１４の上方支持部３２が下方に動いても上方接続部３４がヨーク１６の上壁部３６と確実に干渉しない。
【００２４】
マグネット１８は、例えば４つの断片から構成されている。それぞれのマグネット１８は、外周部分が直交する平面であり、内側が円弧状に形成され、直交する平面部分が前述したヨーク１６の側壁部４０の内側四隅に固定されている。
【００２５】
コイル２０は、円形リング状に形成されている。このコイル２０は、例えば銅等の芯線が巻かれて構成されている。コイル２０の外周面がマグネット１８の内周面と対面している。
【００２６】
レンズ支持体２２は、円筒状の支持本体部４２と、この支持本体部４２の外周下部にフランジ状に形成されたコイル固定部４４とを有する。支持本体部４２は、内側に例えばねじが形成され、図示しないレンズがねじ止めされるようになっている。コイル固定部４４には、前述したコイル２０が固定されている。レンズ支持体２２の上端面は、前述した上方ばね部材１４の上方支持部３２が固定されている。
【００２７】
下方ばね部材（第二のばね部材）２４は、第一の下方ばね部材４６と第二の下方ばね部材４８との２つに分割されている。第一の下方ばね部材４６と第二の下方ばね部材４８とは、それぞれ略直線状に形成された下方ばね本体部５０と、円弧状に形成された下方支持部５２と、下方ばね本体部５０と下方支持部５２とを接続する下方接続部５４とを有する。下方接続部５４は、特に上下方向に弾性変形自在であり、所定間隔を隔ててそれぞれ２つ設けられ、下方ばね本体部５０に下方支持部５２を移動可能に支持している。この実施形態においては、第一の下方ばね部材４６及び第二の下方ばね部材４８は、自由形状時には、それぞれの下方ばね本体部５０、下方支持部５２及び下方接続部５４が同一平面上に形成されている。
【００２８】
前述したレンズ支持体２２の下端面は、第一の下方ばね部材４６及び第二の下方ばね部材４８の下方支持部５２が固定されている。また、第一の下方ばね部材４６の下方支持部５２は、コイル２０の一端に電気的に接続され、第二の下方ばね部材４８の下方支持部５２は、コイル２０の他端に電気的に接続されている。
【００２９】
ばね保持体２６は、レンズ駆動装置１０のベースを兼ねており、上方から見た外形が方形状に形成されていると共に、円形の第三の孔５６が設けられ、この第三の孔５６を介して光が通過する。この第三の孔５６の内周部分には、上側に突出する突出部５５が全周に渡って形成され、この部分の補強がなされている。また、ばね保持体２６の上面内側四隅には接合部５８ａ〜５８ｄが互いに離れた状態で設けられている。接合部５８ａ〜５８ｄは、ばね保持体２６の外周面からやや内側に入った部分で平面状に形成されている。この接合部５８ａ〜５８ｄの内、図１に示すように、２つの接合部５８ａ、５８ｂには第一の下方ばね部材４６が接合され、他の２つの接合部５８ｃ、５８ｄには第二の下方ばね部材４８が接合される。また、この接合部５８ａ〜５８ｄの内、２つの接合部、例えば接合部５８ｂ、５８ｄは、外部と電気的に接続される端子であり、図２に示すように、略９０度折り曲げられてばね保持体２６の下面から下方に突出している。一方、他の２つの接合部５８ａ、５８ｃは、外部と電気的に接続されないダミー端子であり、ばね保持体２６からは突出していない。
【００３０】
図２に示すように、レンズ支持体２２は、上方ばね部材１４と下方ばね部材２４（第一の下方ばね部材４６及び第二の下方ばね部材４８）とにより上下方向移動自在に支持されている。また、レンズ支持体２２は、上方ばね部材１４からは下方への予圧が付与され、下方ばね部材２４からは上方への予圧が付与される。すなわち、上方支持部３２と下方支持部５２との間の光軸方向の距離は上方ばね本体部３０と下方ばね本体部５０との間の光軸方向の距離よりも大きくなるようにしてある。そしてこの実施形態においては、上方ばね部材１４のばね定数と下方ばね部材２４のばね定数（第一の下方ばね部材４６と第二の下方ばね部材４８とを合成したばねのばね定数）は等しく設定されている。このため、上方ばね部材１４は、上方ばね本体部３０と上方支持部３２との間には距離L1が与えられ、下方ばね本体部５０と下方支持部５２との間には距離L2が与えられ、重力分を無視するとL1＝L2となっている。したがって、レンズ支持体２２は、この上方支持部３２と下方支持部５２との中心が上方ばね本体部３０と下方ばね本体部５０との中心に位置し、上下方向に移動自在であるよう宙吊り状態で支持されている。
【００３１】
この実施形態においては、コイル２０にプラス電圧が印加された場合には、レンズ支持体２２には上方への力が作用し、レンズ支持体２２が上方ばね部材１４に抗して上方へ移動する。一方、コイル２０にマイナス電圧が印加された場合には、レンズ支持体２２には下方への力が作用し、レンズ支持体２２が下方ばね部材２４に抗して下方へ移動する。
【００３２】
図３及び図４にも示すように、下方ばね部材２４のみ（又は上方ばね部材１４が無い状態）でレンズ支持体２２が支持されている場合、レンズ支持体２２の下端である被当接部６０が下方ばね部材２４に抗して移動した場合に当接する当接部６２が設けられている。当接部６２は、この実施形態においては、ばね保持体（ベース）２６の上面であって前述した突出部５５の外側に形成されている。また、図２に示すように、この実施形態においては、コイル２０に通電していない初期状態における被当接部６０と当接部６２との距離L3は、前述した距離L1、L2よりも小さくなるように設定されている。したがって、図４に示すように、レンズ支持体２２の被当接部６０がばね保持体２６の当接部６２に当接している状態にあっては、上方ばね部材１４の上方ばね本体部３０と上方支持部３２との間の距離L4は、L4＝L1−L3であるから、プラスであり、上方支持部３２は上方本体部３０よりも光軸方向の上方にある。そのため、上方ばね部材１４の上方支持部３２によって、レンズ支持体２２は下方へ押圧する予圧が付与される。
【００３３】
次にレンズ駆動装置１０の製造方法について説明する。
図３に示すように、まずコイル２０が装着されたレンズ支持体２２に下方ばね部材２４の下方支持部４４を固定する。さらに接合部５８ａ〜５８ｄがインサート成形されたばね保持体２６に下方ばね部材２４の下方ばね本体部５０を固定する。
【００３４】
一方、フレーム１２、上方ばね部材１４、ヨーク１６及びマグネット１８は、一つのアッセンブリとして構成しておく。即ち、ヨーク１６の四隅にマグネット１８を固定し、フレーム１２に上方ばね部材１４の上方ばね本体部３０を固定し、フレーム１２とヨーク１６とを固定する。
【００３５】
次に、レンズ支持体２２の被当接部６０をばね保持体２６の当接部６２に下ばね部材２４に抗して当接させる。この当接は、例えばレンズ支持体２２を治具等を介して下方へ押圧することで行われる。このように、レンズ支持体２２の被当接部６０がばね保持体２６の当接部６２に当接しているので、レンズ支持体２２は、ばね保持体２６に対して斜めにずれたりすることなく、安定した状態でばね保持体２６に保持される。
【００３６】
次に、図４に示すように、レンズ支持体２２の被当接部６０をばね保持体２６の当接部６２に当接させた状態で、前述したフレーム１２、上方ばね部材１４、ヨーク１６及びマグネット１８からなるアッセンブリを装着し、ヨーク１６とばね保持体２６とを固定する。この場合、上方ばね部材１４の上方支持部３２の下面若しくはレンズ支持体２２の上面又は双方に接着剤が塗布されており、レンズ支持体２２と上方ばね部材１４の上方支持部３２とは接着剤を介して固定される。接着剤は例えば熱硬化性のもので、最終的には熱により硬化させてレンズ支持体２２と上方ばね部材１４の上方支持部３２とを固定する。この際、上記治具等によって上方ばね部材１４の上方支持部３２を押圧はしない。
【００３７】
ここで、前述したように、L4＝L1−L3であるから、上方ばね部材１４の上方支持部３２には、ばね力のみでレンズ支持体２２を下方へ押圧する予圧が付与される。すなわち、この状態で上方支持部３２はレンズ支持体２２から浮いてしまうことが無く、治具等で押圧しなくても上方支持部３２とレンズ支持体２２は密着する。このため、レンズ支持体２２と上方ばね部材１４の上方支持部３２との間にはばね力のみで略均等の圧力が作用し、両者の密着性を良好にすることができる。
【００３８】
このような状態で接着剤を硬化させた後、レンズ支持体２２の下方への押圧を解除すれば、図２に示すように、レンズ支持体２２は、上方ばね部材１４と下方ばね部材２４とにより、宙吊り状に支持される。接着時には上方ばね部材１４の上方支持部３２を治具等で押さえつけていないので、上方支持部３２は力のバランスが取れた自然な状態で固定される。そのため、レンズ支持体２２は力のバランスが取れた状態で宙吊り状に支持されるので、レンズ支持体２２の姿勢が不安定であったり、光軸に対して斜めに取り付けられたりする不具合が発生しにくく、レンズ支持体２２は安定した状態で支持される。
【００３９】
レンズ支持体２２には、レンズが支持される。レンズ支持体２２にレンズが支持されたレンズ駆動装置１０は、カメラ装置に搭載される。カメラ装置においては、被写体からこのレンズを介して入力された光は画像センサにより検出される。被写体のピントを合せるためのレンズの移動量がカメラに備えられたコントローラにより演算される。このコントローラは、接合部５８ｂ，５８ｄにレンズの移動量に対応したプラス、マイナスいずれかの電圧が印加されるように制御する。接合部５８ｂ，５８ｄ間に電圧が印加されると、一つの接合部５８ｂ、第一の下方ばね部材４６、コイル２０、第二の下方ばね部材４８及び接合部５８ｄを介して電流が流れる。コイル２０に例えばプラスの電流を印加すると、マグネット１８の磁束により、コイル２０には上方へ移動しようとする電磁力が生じる。コイル２０に上方への力が生じると、レンズがコイル２０及びレンズ支持体２２と共に、上方ばね部材１４に抗して上方へ移動し、カメラ装置に近い対象物に対してピントが合せられる。一方、コイル２０にマイナスの電流を印加すると、マグネット１８の磁束により、コイル２０には下方へ移動しようとする電磁力が生じる。コイル２０に下方への力が生じると、レンズがコイル２０及びレンズ支持体２２と共に、下方ばね部材２４に抗して下方へ移動し、カメラ装置に遠い対象物に対してピントが合せられる。
【００４０】
次に変形例について説明する。
上方ばね部材１４及び下方ばね部材２４について、前述した実施形態では等しいばね定数を持つものとして説明したが、異なるばね定数を持つようにしてもよい。ばね定数が異なれば、レンズ支持体２２の初期位置が異なる。例えば上方ばね部材１４のばね定数を下方ばね部材２４のばね定数よりも小さくした場合は、レンズ支持体２２の初期位置が下方へずれる。したがって、この場合は、レンズ支持体２２の無限遠位置への移動を消費電力が少なく、且つ速く行うことができる。
【００４１】
また、上方ばね部材１４及び下方ばね部材２４は、自由形状時には、ばね本体部３０，５０、支持部３２，５２及び接続部３４，５４が同一平面上に形成されている、平らなばねとして説明したが、これに限定されるものではなく、自由形状時にばね本体部３０，５０と支持部３２，５２の上下方向の位置が異なるようにしてもよい。上方ばね部材１４及び下方ばね部材２４のいずれか一方又は双方において、ばね本体部３０，５０と支持部３２，５２の上下方向の位置を異ならせることにより、同様にレンズ支持体２２の初期位置を異ならせることができる。この場合、被当接部６０と当接部６２との距離L3は、前述した距離L1、L2よりも小さくなるように設定しなくとも、レンズ支持体２２を下方へ押圧する予圧を付与することができる可能性がある。また、レンズ支持体２２の被当接部６０がばね支持体２６の当接部６２に当接している状態にあって、上方ばね部材１４の上方ばね本体部３０と上方支持部３２との間の距離L4がプラスでなくともレンズ支持体２２を下方へ押圧する予圧を付与することができる可能性がある。
【００４２】
例えば、コイル２０への通電が無い初期状態において、上方ばね部材１４の上方ばね本体部３０から上方支持部３２までの距離L1と、当接部６２からレンズ支持体２２までの距離L4と、の差が、自由形状時における上方ばね部材１４の上方ばね本体部３０から上方支持部３２までの距離、よりも大きくすれば良い。
また、レンズ支持体２２を当接部６２に当接した状態における上方ばね部材１４の上方ばね本体部３０から上方支持部３２までの距離L4は、自由形状時における上方ばね部材１４の上方ばね本体部３０から上方支持部３２までの距離よりも大きくしても良い。
【００４３】
いずれも、レンズ支持体２２が当接部６２に当接した状態において、上方ばね部材１４の上方支持部３２の上方ばね本体部３０に対する位置が、自由形状時における上方支持部３２の上方ばね本体部３０に対する位置よりも上方になるように変形している。そのため、上方ばね部材１４の上方支持部３２は、レンズ支持体２２が当接部６２に当接した状態において、レンズ支持体２２を下方へ押圧する予圧を加えることになる。
【００４４】
上記実施形態においては、レンズ支持体２２の被当接部６０をばね支持体２６の当接部６２へ当接させることは、レンズ支持体２２を治具等で押圧することにより行うようにしているが、コイル２０に例えばマイナス電流を流すことにより実現することもできる。即ち、コイル２０と下方ばね部材２４とを電気的に接続したうえで、コイル２０とマグネット１８を上方ばね部材２４の固定に先立って固定するか、或いはコイル２０とマグネット１８を仮置きしておけば、コイル２０にマイナスの電流を印加することでレンズ保持体２２を下方に移動させ、被当接部６０を当接部６２に当接させることができる。
【００４５】
さらに、上記実施形態においては、レンズ支持体２２の被当接部６０をレンズ支持体２２の下端面としたが、これに限定されることなく、レンズ支持体２２のいずれの部分に形成してもよい。また、当接部６２は、ばね保持体２６に設けられているが、他の部材に設けることもできる。
【００４６】
また、組立時に治具等で押圧後にフレーム１２、上方ばね部材１４、ヨーク１６及びマグネット１８からなるアッセンブリを装着するようにしたが、アセンブリを先に装着、固定後にレンズ支持体２２を押圧しても良い。
【００４７】
また、フレーム１２、上方ばね部材１４、ヨーク１６及びマグネット１８からなるアッセンブリを用いたが、ヨーク１６とマグネット１８とを組立てたものを先に取り付け、固定した後で、フレーム１２と上方ばね部材１４とを組立てたものを取り付け、固定しても良い。
【００４８】
また、上下を逆にして、ヨーク１６の当接部にレンズ支持体２２を当接させて、下方ばね部材２４でレンズ支持体２２を上方に予圧を加えながら下方ばね部材２４とレンズ支持体２２を固定しても良い。
【００４９】
また、本実施形態では、上方ばね部材１４の上方ばね本体部３０は、フレーム１２の下面から上方へ向けて凹ませたばね取付け部に固定され、フレーム１２がヨーク１６の上壁部３６に固定されることによってヨーク１６に固定されている。しかし、上方ばね本体部３０は直接ヨーク１６の上壁部３６に固定、あるいは上壁部３６とフレーム１２との間に挟み込んで固定しても構わない。レンズ支持体２２が最も下方に移動して当接部６２に当接しているときでも、上方ばね部材１４の上方支持部３２がL4の距離で上方ばね本体部３０（上壁部３６）よりも上方にあり、上方ばね部材１４とヨーク１６とが干渉しない。その際、上方支持部３２よりも上方ばね本体部３０の方を先に固定する。上方ばね本体部３０の固定が一度で済むので、工程数を減らすことができる。
【符号の説明】
【００５０】
１０    レンズ駆動装置
１２    フレーム
１４    上方ばね部材
１６    ヨーク
１８    マグネット
２０    コイル
２２    レンズ支持体
２４    下方ばね部材
２６    ばね保持体
６０    被当接部
６２    当接部
【図１】
2015210469.tif 000003
【図２】
2015210469.tif 000004
【図３】
2015210469.tif 000005
【図４】
2015210469.tif 000006